(57)【要約】【課題】双方のユーザが多くの手順を踏むことなく、直感的な方法で映像画面を見ることを可能にする映像伝送方法を提供すること。【解決手段】映像伝送方法であって、映像アプリケーションプログラムとネットワーク電話アプリケーションプログラム（例：Skype）を組み合わせ、ネットワーク電話アプリケーションプログラムを介して映像ファイルを伝送し、受信側のネットワーク電話アプリケーションプログラムが映像ファイルを受信後、この映像ファイルが映像アプリケーションプログラムの操作インターフェース上に表示される。【選択図】図３
2008271214.tif 000002
【特許請求の範囲】
【請求項１】
映像伝送方法であって、前記方法がネットワークを介して近端映像ファイルを近端コンピュータから遠端コンピュータに伝送するアプリケーション環境に用いられ、そのうち、前記近端コンピュータに近端ネットワーク電話アプリケーションプログラムをインストールすると共に、前記遠端コンピュータに遠端ネットワーク電話アプリケーションプログラムをインストールし、そのうち、前記遠端ネットワーク電話アプリケーションプログラムが前記近端ネットワーク電話アプリケーションプログラムと接続を形成することができ、
前記方法が：
前記近端映像ファイルの映像保存ルートを取得する；
遠端ネットワーク電話コードを取得する、そのうち前記遠端ネットワーク電話コードは前記遠端ネットワーク電話アプリケーションプログラムに対応するものとする；
前記近端ネットワーク電話アプリケーションプログラムを呼び出す；及び
前記映像保存ルート及び前記ネットワーク電話コードを前記近端ネットワーク電話アプリケーションプログラムに伝送する；
という手順を含み、
上述の手順により、前記近端ネットワーク電話アプリケーションプログラムと前記遠端ネットワーク電話アプリケーションプログラムを接続させ、かつ前記近端ネットワーク電話アプリケーションプログラムを介して前記近端映像ファイルを前記遠端コンピュータに伝送することを特徴とする、映像伝送方法。
【請求項２】
前記近端コンピュータが接続されたウェブカメラを含み、前記近端映像ファイルの生成が前記ウェブカメラのキャプチャするキャプチャ画面であることを特徴とする、請求項１に記載の映像伝送方法。
【請求項３】
前記近端映像ファイルが対応する前記キャプチャ画面を前記近端コンピュータに表示する、という手順を含む、請求項２に記載の映像伝送方法。
【請求項４】
前記近端映像ファイルが対応する前記キャプチャ画面を前記遠端コンピュータに表示する、という手順を含む、請求項２に記載の映像伝送方法。
【請求項５】
前記ウェブカメラが取得する動態画面を前記近端コンピュータに表示する、という手順を含む、請求項３に記載の映像伝送方法。
【請求項６】
前記遠端ネットワーク電話コードが前記近端ネットワーク電話アプリケーションプログラムから取得される、請求項５に記載の映像伝送方法。
【発明の詳細な説明】
【技術分野】
【０００１】
本発明は映像伝送方法に関し、双方のユーザが直感的な方法で映像の画面を見ることができる映像伝送方法に関する。
【背景技術】
【０００２】
すでに周知となっているネットワーク電話アプリケーションプログラムは、例えばSkypeのように機能が『通信』において基本的に３つあり、１つ目が音声のコミュニケーション、２つ目がカメラのライブ映像の表示、３つ目が送信ファイルの伝送である。
【０００３】
ファイルの伝送はSkypeについてみると、送信側がSkypeを介してファイルを受信側に伝送し、受信側がファイルをダウンロードしてハードディスク内に保存した後、ファイルを開くことができるようになっている。
【発明の開示】
【発明が解決しようとする課題】
【０００４】
しかしながら、このような手順は不便であり、多くの使用状況において双方のユーザが直接討論したい相手の画面を見ることができればより効率的であるため、この問題を解決することが必要である。
【０００５】
本発明の主な目的は、双方のユーザが多くの手順を踏むことなく、直感的な方法で映像画面を見ることを可能にする、映像伝送方法を提供することにある。
【課題を解決するための手段】
【０００６】
上述の目的を達するため、本発明は近端映像アプリケーションプログラムと近端ネットワーク電話アプリケーションプログラム（例：Skype）を組み合わせ、本発明のネットワークを介して近端映像ファイルを近端コンピュータから遠端コンピュータに伝送するアプリケーション環境で用い、さらに遠端コンピュータに遠端ネットワーク電話アプリケーションプログラムをインストールし、この遠端ネットワーク電話アプリケーションプログラムと近端ネットワーク電話アプリケーションプログラム間で接続を形成することができ、さらに本発明の映像伝送方法は次の手順を含む：
前記近端映像ファイルの映像保存ルートを取得する；
遠端ネットワーク電話コードを取得する、そのうち前記遠端ネットワーク電話コードは前記遠端ネットワーク電話アプリケーションプログラムに対応するものとする；
前記近端ネットワーク電話アプリケーションプログラムを呼び出す；及び
前記映像保存ルート及び前記遠端ネットワーク電話コードを前記近端ネットワーク電話アプリケーションプログラムに提供する。
【０００７】
上述の手順により、前記近端ネットワーク電話アプリケーションプログラムと前記遠端ネットワーク電話アプリケーションプログラムが接続され、かつ前記近端ネットワーク電話アプリケーションプログラムにより前記近端映像ファイルを前記遠端コンピュータに送信することができる。
【０００８】
実施例においては、近端コンピュータにウェブカメラを接続し、ウェブカメラがキャプチャするキャプチャ画面を近端映像ファイルとし、また、近端ネットワーク電話アプリケーションプログラムの操作インターフェースは近端映像ファイルのほか、ウェブカメラがキャプチャし取得する動態画面も表示することができる。
【発明の効果】
【０００９】
上述の手順により、近端と遠端のユーザは、Skypeで通話ができるほか、相互が送信するファイルが表す画面を即時に討論することができる。
【発明を実施するための最良の形態】
【００１０】
本発明の技術内容についての理解を促すため、以下具体的な実施例を挙げて説明する。
【００１１】
図１に本発明の使用環境ダイアグラムを示す。本発明のポイントは、近端コンピュータ１０が近端ネットワーク電話アプリケーションプログラム１５を介し、ネットワーク９０（例：インターネット）を経由して近端映像ファイル１９を遠端コンピュータ２０に伝送し、遠端コンピュータ２０が近端映像ファイル１９を見られるようにすることである。
【００１２】
近端コンピュータ１０は例えば一般のコンピュータ（PDAや小型コンピュータ等でもよい）とし、プロセッサ１１、保存装置１２（例：ハードディスク、メモリ等）及びモニタ１３を含む。より好ましくは、ウェブカメラ１４(webcam)を近端コンピュータ１０に接続することができる。また、保存装置１２には近端ネットワーク電話アプリケーションプログラム１５（例：Skype、msn）、近端映像アプリケーションプログラム１７及び少なくとも１つの近端映像ファイル１９が保存される。
【００１３】
遠端コンピュータ２０は近端コンピュータ１０と同様であり、遠端コンピュータ２０はプロセッサ２１、保存装置２２及びモニタ２３を含み、且つ、ウェブカメラ２４が接続される。保存装置２２にも遠端ネットワーク電話アプリケーションプログラム２５（例：Skype、msn）、遠端映像アプリケーションプログラム２７及び少なくとも１つの遠端映像ファイル２９が保存される。
【００１４】
以下、図２の本発明のフロー図を併せて参照すると共に、図３〜５を参照しながら本発明の実施例について説明する。
【００１５】
手順Ｓ１：第一ウィンドウ３１が前記ウェブカメラ１４の取得する動態画面を表示する。
【００１６】
近端映像アプリケーションプログラム１７の操作インターフェース３０は、図４に示すように、操作インターフェース３０が第一ウィンドウ３１及び第二ウィンドウ３２を含む。第一ウィンドウ３１は前記ウェブカメラ１４の取得する動態画面５１を表示する。
【００１７】
手順Ｓ２：近端コンピュータ１０のユーザはキャプチャボタン３５を押して動態画面５１からキャプチャ画面５２をキャプチャし、第二ウィンドウ３２に前記ウェブカメラ１４がキャプチャしたキャプチャ画面５２が表示される。
【００１８】
実際の場面において、ウェブカメラ１４上に『撮影ボタン』（図示しない）がある状況下で、ユーザは『撮影ボタン』を押してキャプチャ画面５２を取得することもできる。
【００１９】
基本的に、第二ウィンドウ３２にはユーザが遠端コンピュータ２０に送信したい、またはすでに送信した映像が表示される。ウェブカメラ１４でキャプチャした画面のほか、ユーザは近端映像ファイル選択インターフェース３４で伝送したい映像を選択することもできる。
【００２０】
手順Ｓ３：近端映像ファイル５０の映像保存ルートを取得する。送信したい映像がキャプチャ画面５２または近端映像ファイル選択インターフェース３４により選択した映像のいずれかを問わず、送信したい映像は基本的に保存装置１２上に保存され、この送信したい映像のファイルをここでは近端映像ファイル５０と定義する。当然、保存装置１２はハードディスク、メモリ等のすることができ、いずれにしても近端映像アプリケーションプログラム１７は近端映像ファイル５０の映像保存ルートを知る。
【００２１】
手順Ｓ４：遠端ネットワーク電話コード３３１を取得する。
【００２２】
ユーザはネットワーク電話コード選択インターフェース３３を介して近端映像ファイル５０の受信者を選択する。例えば、ネットワーク電話コード選択インターフェース３３が複数の遠端ネットワーク電話コード３３１を一覧表示し、そこからユーザが選択する。遠端ネットワーク電話コード３３１『Kevin』が選択された場合、前記遠端ネットワーク電話コード３３１『Kevin』は遠端ネットワーク電話アプリケーションプログラム２５に対応しており、近端ネットワーク電話アプリケーションプログラム１５は『Kevin』の遠端ネットワーク電話アプリケーションプログラム２５と接続を形成することができる。
【００２３】
遠端ネットワーク電話コード３３１は直接前記近端ネットワーク電話アプリケーションプログラム１５から取り込むのが望ましい。例えば、近端ネットワーク電話アプリケーションプログラム１５がSkypeソフトウェアの場合、Skypeソフトウェアにユーザが選択した複数のコンタクトが保存され、近端映像アプリケーションプログラム１７はこれら複数のコンタクトを複製し、ネットワーク電話コード選択インターフェース３３に複数の遠端ネットワーク電話コード３３１を表示させ、ユーザに選択させることができる。
【００２４】
手順Ｓ５：近端映像アプリケーションプログラム１７が近端映像ファイル５０の映像保存ルート及び遠端ネットワーク電話コード３３１を取得した後、近端映像アプリケーションプログラム１７が前記近端ネットワーク電話アプリケーションプログラム１５を呼び出す。Skypeを例にとると、近端映像アプリケーションプログラム１７がSkypeにアプリケーション物件を１つ登録する。
【００２５】
手順Ｓ６：近端映像アプリケーションプログラム１７が近端映像ファイル５０の映像保存ルート及び遠端ネットワーク電話コード３３１を前記近端ネットワーク電話アプリケーションプログラム１５に伝送する。
【００２６】
手順Ｓ７：前記近端ネットワーク電話アプリケーションプログラム１５が前記近端映像ファイル５０を遠端コンピュータ２０に伝送する。Skypeを例とすると、送信する前に送信側と受信側の通路が確立され、前記近端映像ファイル５０を遠端コンピュータ２０に送信することができる。
【００２７】
手順Ｓ８：遠端ネットワーク電話アプリケーションプログラム２５が近端映像ファイル５０を受信する。近端ネットワーク電話アプリケーションプログラム１５と遠端ネットワーク電話アプリケーションプログラム２５は相互に通信しファイル伝送を行なう能力を備えている必要があり、例えば２つのネットワーク電話アプリケーションプログラムがいずれもSkypeソフトウェアであるなどとする。
【００２８】
手順Ｓ９：遠端映像アプリケーションプログラム２７が近端映像ファイル５０の画面を表示する。遠端映像アプリケーションプログラム２７は同様に近端映像アプリケーションプログラム１７が示すような操作インターフェース（図示しない）を有する。
【００２９】
以上の手順は図３に示すように、近端映像アプリケーションプログラム１７が伝送に指定した近端映像ファイル１９及び伝送相手を近端ネットワーク電話アプリケーションプログラム１５に知らせ、近端ネットワーク電話アプリケーションプログラム１５が遠端ネットワーク電話アプリケーションプログラム２５に接続し、遠端ネットワーク電話アプリケーションプログラム２５に近端映像ファイル１９を受信させる。遠端ネットワーク電話アプリケーションプログラム２５は遠端映像アプリケーションプログラム２７を呼び出し、遠端映像アプリケーションプログラム２７に近端映像ファイル１９を表示させる。
【００３０】
手順Ｓ１０：
遠端コンピュータ２０が映像を近端コンピュータ１０に伝送する場合を例とする。
同様に、遠端ネットワーク電話アプリケーションプログラム２５は遠端映像ファイル２９を近端ネットワーク電話アプリケーションプログラム１５に伝送することができる。
【００３１】
手順Ｓ１１：
図５に示すように、操作インターフェース３０の第二ウィンドウ３２に遠端映像ファイル２９の画面２９１が表示される。
【００３２】
近端ネットワーク電話アプリケーションプログラム１５が遠端映像ファイル２９を受信した後、近端ネットワーク電話アプリケーションプログラム１５が近端映像アプリケーションプログラム１７を呼び出し、近端映像アプリケーションプログラム１７に遠端映像ファイル２９の画面２９１を表示させる。
【００３３】
上述の手順により、近端と遠端のユーザは、例えばSkypeを使用した通話のほか、即時に相互に伝送するファイルが表示する画面を討論することができる。
【００３４】
上述のように、本発明はその目的、手段及び効果のいずれも従来技術とは異なる特徴を持つ大きなブレイクスルーであり、社会に貢献するために、審査委員各位には一日も早く特許を認めていただけるよう願うものである。但し、上述の実施例は例示的に本発明の原理及びその効果を説明するためのものであり、本発明の範囲を制限するものではないことに注意が必要である。関連技術を熟知するあらゆる人物により、本発明の技術原理及び要旨を逸脱しない範囲で実施例に対し修正や変化を行なうことは可能である。本発明の権利保護範囲は後述する特許請求の範囲において述べる。
【図面の簡単な説明】
【００３５】
【図１】本発明の使用環境のダイアグラムである。
【図２】本発明のフロー図である。
【図３】近端映像ファイル送信を説明するダイアグラムである。
【図４】本発明の操作インターフェースの実施例図である。
【図５】本発明の遠端映像ファイルの画面を表示している操作インターフェースの実施例図である。
【符号の説明】
【００３６】
１０  近端コンピュータ 
１１  プロセッサ 
１２  保存装置
１３  モニタ
１４  ウェブカメラ
１５  近端ネットワーク電話アプリケーションプログラム
１７  近端映像アプリケーションプログラム
１９  近端映像ファイル
２０  遠端コンピュータ
２１  プロセッサ
２２  保存装置
２３  モニタ
２４  ウェブカメラ
２５  遠端ネットワーク電話アプリケーションプログラム
２７  遠端映像アプリケーションプログラム
２９  遠端映像ファイル
３０  操作インターフェース
３１  第一ウィンドウ
３２  第二ウィンドウ
３３  ネットワーク電話コード選択インターフェース
３４  近端映像ファイル選択インターフェース
３５  キャプチャボタン
３６  送信ボタン
５０  近端映像ファイル
５１  動態画面
５２  キャプチャ画面
９０  ネットワーク
【図１】
2008271214.tif 000003
【図２】
2008271214.tif 000004
【図３】
2008271214.tif 000005
【図４】
2008271214.tif 000006
【図５】
2008271214.tif 000007